(57)【要約】【課題】液晶表示装置の画面を複数に分割して表示制御する構成において、各分割領域間の表示輝度むらを改善して、画面全体で高品位の画像表示を可能とする。【解決手段】液晶パネルの駆動回路は、液晶パネルの画面を複数に分割した領域のそれぞれに対応した複数のタイミングコントローラ（１２ａ）〜（１２ｄ），（１３ａ）〜（１３ｄ）からの制御信号により、分割した領域ごとに駆動制御される。液晶表示装置に予め設定されている階調基準データに基づいて階調値に応じた階調電圧を生成するために用いられる階調基準電圧を生成する基準電圧生成回路（１４）と、基準電圧生成回路（１４）とで生成された階調基準電圧を分圧して階調値に応じた階調電圧を生成する階調電圧生成回路（１５）と、液晶パネルの対向電極に供給する対向電圧を生成する対向電圧生成回路（１６）とを複数に分割した全ての領域に共通に有する。【選択図】図３
2016218274.tif 000002
【特許請求の範囲】
【請求項１】
液晶パネルおよび該液晶パネルを駆動する駆動回路を有する液晶モジュールと、
入力される画像データに基づいて前記駆動回路を制御するための制御信号を生成し、前記駆動回路に出力するタイミングコントローラとを有し、
前記液晶パネルの前記駆動回路は、前記液晶パネルの画面を複数に分割した領域のそれぞれに対応した複数のタイミングコントローラからの制御信号により、前記分割した領域ごとに駆動制御される液晶表示装置であって、
該液晶表示装置に予め設定されている階調基準データに基づいて階調値に応じた階調電圧を生成するために用いられる階調基準電圧を生成する基準電圧生成部と、
該基準電圧生成部で生成された階調基準電圧を分圧して階調値に応じた階調電圧を生成する階調電圧生成部と、
前記液晶パネルの対向電極に供給する対向電圧を生成する対向電圧生成部とを有し、
前記基準電圧生成部、前記階調電圧生成部、および前記対向電圧生成部は、前記複数に分割した全ての領域に対して共通に使用されることを特徴とする液晶表示装置。
【請求項２】
請求項１に記載の液晶表示装置において、
前記タイミングコントローラは、前記複数に分割した領域に対応したタイミングコントローラのいずれか１つをマスターとして、他の分割した領域に対応したタイミングコントローラを、前記マスターによる制御により動作するスレーブとして機能させることを特徴とする液晶表示装置。
【請求項３】
請求項１または２に記載の液晶表示装置において、
前記液晶パネルの画面を複数に分割した領域は、前記画面の高さ方向に直交する幅方向について前記画面が複数に分割され、該分割した各領域は、前記画面の高さ方向の高さを有する矩形形状であることを特徴とする液晶表示装置。
【請求項４】
請求項１または２に記載の液晶表示装置において、前記液晶パネルの画面を複数に分割した領域は、前記画面の高さ方向について前記画面が複数に分割されるともに、前記高さ方向に直交する幅方向について前記画面が複数に分割され、該分割した各領域は、前記画面の高さ方向の一部の高さと、前記画面の幅方向の一部の幅を有する矩形形状であることを特徴とする液晶表示装置。
【請求項５】
請求項１〜４のいずれか１に記載の液晶表示装置を備えたテレビジョン装置。
【発明の詳細な説明】
【技術分野】
【０００１】
本発明は、液晶表示装置およびテレビジョン装置に関し、より詳細には、所謂８Ｋ４Ｋ画像による高精細な画像を表示可能な液晶表示装置およびテレビジョン装置に関する。
【背景技術】
【０００２】
近年、液晶パネルを用いた液晶表示装置の高画質化の一環として、所謂２Ｋ１Ｋ画像と呼ばれるＦＨＤ（Full High Definition）画像（例えば１９２０画素×１０８０画素前後）よりも解像度の高い４Ｋ２Ｋ画像（例えば４０９６×２１６０画素、３８４０×２１６０画素）を表示可能な高解像度液晶パネルを用いた液晶表示装置が提供され、更に高解像度化の要望も高く、４Ｋ２Ｋ画像の縦横２倍の画素を有する、所謂８Ｋ４Ｋ画像を表示可能な液晶表示装置も発表されている。
【０００３】
大型の表示装置で、その画面表示を制御するためのコントローラ基板が複数取り付けられている場合、そのコントローラ基板が個別に調整されてしまうと、表示画面内の場所によって輝度やガンマ値がばらついてしまう。このような問題に対して、複数のコントローラ基板のいずれかをマスターとし、他のコントローラ基板をスレーブとして、マスターのコントロール基板で生成したパラメータをスレーブのコントローラ基板で共有することを画面上の輝度差をなくすようにすることが考えられる。
【０００４】
例えば特許文献１では、複数の投射型映像表示装置同士の輝度のばらつきを抑制するための技術が開示されている。ここでは、マルチ画面表示
装置が、複数の投射型映像表示装置であるマスター装置及びスレーブ装置の画面を配列してなっている。これらマスター装置とスレーブ装置は、通信ケーブルを介して接続され、それぞれが、半導体発光素子からなる３原色の光源と、光源の各原色個別の制御電流に対応する輝度を記憶するメモリ回路とを備える。マスター装置は、自身の出力可能な輝度と、通信ケーブルを介して得られた自身以外の出力可能な輝度とに基づいて共通の目標輝度を決定する。マスター装置及びスレーブ装置のそれぞれは、目標輝度に対応する制御電流を目標制御電流としてメモリ回路から読み出し、当該目標制御電流を光源に与える。
【先行技術文献】
【特許文献】
【０００５】
【特許文献１】特開２０１２−１５０１４９号公報
【発明の概要】
【発明が解決しようとする課題】
【０００６】
液晶表示装置では、一般に、外部から入力される画像データに基づいて、液晶パネルとのその駆動回路からなる液晶モジュールに含まれるソースドライバ及びゲートドライバの動作を制御するための制御信号を生成し、ソースドライバ及びゲートドライバに出力するタイミングコントローラ（ＴＣＯＮ；Timing Controller）が備えられている。
また、液晶表示装置１０に予め設定されている階調基準データに基づいて、ソースドライバにおいて階調値に応じた電圧を生成する際に用いられる階調基準電圧を生成する基準電圧生成回路や、液晶パネルが有する対向電極に対する電圧レベルを生成するための対向電圧生成回路が備えられる。ソースドライバでは、基準電圧生成回路から出力された階調基準電圧を分圧し、階調ごとの階調電圧を生成し、入力された画像データに基づいて、階調電圧を選択してソースラインに出力する。
【０００７】
例えばＦＨＤのような解像度の画像を液晶表示装置に表示させる場合、通常は液晶表示装置の液晶モジュールの全画面を表示させるために一つのＴＣＯＮを用いている。また、基準電圧生成回路および対向電圧生成回路についても、それぞれ一つの回路にて制御している。
これに対して、高解像度の８Ｋ４Ｋ画像を表示可能な液晶表示装置では、その画面が高精細であるため、画面の大きさにもよるが、１つのＴＣＯＮ等では処理を行いきれないため、画面を複数に分割して、それぞれの分割領域ごとに上記のような従来の回路を設けて、複数の画面毎に表示制御させることが行われている。
【０００８】
例えば、図７に示すように、液晶表示装置１０が備える液晶パネル８の画面を４つの領域Ａ，Ｂ，Ｃ，Ｄに分割し、各分割領域ごとに、ＴＣＯＮを載せた表示制御基板を設け、各表示制御基板に対して、１つの分割領域の表示を担当するためのＴＣＯＮと、基準電圧生成回路と、基準電圧生成回路が生成した階調基準電圧に基づき階調ごとの階調電圧を生成する階調電圧生成回路と、液晶パネルの対向電極に供給する対向電圧を生成する対向電圧生成回路とを設ける。そして４つの分割領域を各表示制御基板の回路部で表示制御することで、全体で高解像度の８Ｋ４Ｋ画像を表示させるようにする。
【０００９】
しかしながら、このような画面分割による表示制御を行う場合、基準電圧生成回路、階調電圧生成回路、および対向電圧生成回路が分割領域ごとに存在するため、それぞれの回路に対して設定が必要であった。
この場合、分割領域ごとの調整のばらつきにより、液晶パネルを駆動するための階調電圧のずれによる輝度差やフリッカ等による画像のむら（輝度差やチラつき）が生じる、という課題があった。特に分割領域の境の部分では、画像のむら（輝度差やチラつき）による品位低下が目立つ場合がある。このため、分割領域間の画像データをデジタルガンマで調整し、見た目の画像のむら（輝度差やチラつき）を均一化するという設定処理がさらに必要となっていた。しかしながら、例えば図７に示す領域ｍの部分では、４つの分割領域が近接するため、分割領域間の調整を行ったとしても、画像のむら（輝度差やチラつき）を完全に解消できない場合がある。
例えば領域Ｂは、領域Ａと領域Ｄとの間で輝度むら等による画像のむらを抑えなければいけないが、この場合、領域Ａと領域Ｄとの間でも画像のむらを抑える必要があり、この調整がうまくできないと画面上に格子状のむら（輝度差やチラつき）が生じ、見た目に違和感が生じる。
【００１０】
特許文献１では、マスター装置が各装置のメモリ情報から平均輝度を算出し、それぞれの輝度目標に向けて光源の電流を制御することでマルチ画面のばらつきを抑えている。従って装置間の相互通信が必要となる。また、マルチ画面のピーク輝度のばらつきが抑えられたとしても、中間調の輝度のばらつきを抑えることはできない。
【００１１】
本発明は、上述のような実状に鑑みてなされたものであり、その目的は、液晶表示装置の画面を複数に分割して表示制御する構成において、各分割領域間の表示輝度むらを改善して、画面全体で高品位の画像表示を可能とする液晶表示装置および該液晶表示装置を備えたテレビジョン装置を提供することにある。
【課題を解決するための手段】
【００１２】
上記の課題を解決するために、本発明の第１の技術手段は、液晶パネルおよび該液晶パネルを駆動する駆動回路を有する液晶モジュールと、入力される画像データに基づいて前記駆動回路を制御するための制御信号を生成し、前記駆動回路に出力するタイミングコントローラとを有し、前記液晶パネルの前記駆動回路は、前記液晶パネルの画面を複数に分割した領域のそれぞれに対応した複数のタイミングコントローラからの制御信号により、前記分割した領域ごとに駆動制御される液晶表示装置であって、該液晶表示装置に予め設定されている階調基準データに基づいて階調値に応じた階調電圧を生成するために用いられる階調基準電圧を生成する基準電圧生成部と、該基準電圧生成部で生成された階調基準電圧を分圧して階調値に応じた階調電圧を生成する階調電圧生成部と、前記液晶パネルの対向電極に供給する対向電圧を生成する対向電圧生成部とを有し、前記基準電圧生成部、前記階調電圧生成部、および前記対向電圧生成部は、前記複数に分割した全ての領域に対して共通に使用されることを特徴としたものである。
【００１３】
第２の技術手段は、第１の技術手段において、前記タイミングコントローラは、前記複数に分割した領域に対応したタイミングコントローラのいずれか１つをマスターとして、他の分割した領域に対応したタイミングコントローラを、前記マスターによる制御により動作するスレーブとして機能させることを特徴としたものである。
【００１４】
第３の技術手段は、第１または第２の技術手段において、前記液晶パネルの画面を複数に分割した領域は、前記画面の高さ方向に直交する幅方向について前記画面が複数に分割され、該分割した各領域は、前記画面の高さ方向の高さを有する長方形の矩形形状であることを特徴としたものである。
【００１５】
第４の技術手段は、第１または第２の技術手段において、前記液晶パネルの画面を複数に分割した領域は、前記画面の高さ方向について前記画面が複数に分割されるともに、前記高さ方向に直交する幅方向について前記画面が複数に分割され、該分割した各領域は、前記画面の高さ方向の一部の高さと、前記画面の幅方向の一部の幅を有する矩形形状であることを特徴としたものである。
【００１６】
第５の技術手段は、第１〜第４のいずれか１の技術手段の液晶表示装置を備えたテレビジョン装置である。
【発明の効果】
【００１７】
本発明によれば、液晶表示装置の画面を複数に分割して表示制御する構成において、各分割領域間の表示輝度むら（輝度差やチラつき）を改善して、画面全体で高品位の画像表示を可能とする液晶表示装置および該液晶表示装置を備えたテレビジョン装置を提供することができる。
【図面の簡単な説明】
【００１８】
【図１】液晶表示装置の液晶パネルを駆動制御する部分の要部の構成を説明するための図である。
【図２】液晶パネルを４つの領域に分割して、それぞれの領域に対応してＴＣＯＮ、および基準電圧生成回路、および対向電圧生成回路を設けた構成例を示す図である。
【図３】本発明に係る液晶表示装置の実施形態を説明する図である。
【図４】液晶パネル分割構成の一実施形態を示す図である。
【図５】液晶パネルの分割構成の他の実施形態を示す図である。
【図６】液晶パネルの分割構成の更に他の実施形態を示す図である。
【図７】液晶表示装置が備える液晶パネルの画面を４つの領域に分割したときの従来の課題を説明するための図である。
【発明を実施するための形態】
【００１９】
まず本発明に係る実施形態に適用するタイミングコントローラ、基準電圧生成部、階調電圧生成部および対向電圧生成部の構成とその動作について説明する。
図１は、液晶表示装置の液晶パネルを駆動制御する部分の要部の構成を説明するための図である。図１の例は、本発明に係る実施形態を示すものではなく、本発明の構成に適用する基準電圧生成部（回路）、対向電圧生成部（回路）、階調電圧生成部（回路）の動作を説明するために、液晶パネルを一つのタイミングコントローラを用いて駆動するときの構成例を示すものである。本例では、液晶パネル８を一つのタイミングコントローラ１を用いて駆動するときの構成例を示している。ここでは液晶パネル８と、この液晶パネル８を駆動するゲートドライバ６ないしソースドライバ３等の駆動回路とにより液晶モジュールは構成されている。
【００２０】
タイミングコントローラ（ＴＣＯＮ）１は、入力される画像データに基づいてゲートドライバ６およびソースドライバ３の動作を制御するための制御信号を生成し、ゲートドライバ６およびソースドライバ３に出力する。ゲートドライバ６は、タイミングコントローラ１から入力される制御信号に基づいて、液晶パネル８のＴＦＴ基板に備えられる各ゲートバスラインに印加する電圧を制御することにより、書込対象のゲートバスラインを周期的に切り替える。
【００２１】
液晶パネル８のＴＦＴ基板上には、多数のゲートバスラインと、各ゲートバスラインと交差して配置された多数のソースバスラインが設けられる。そしてゲートバスラインとソースバスラインとの交差部毎に絵素（サブピクセル）が設けられている（いずれも図示せず）。各ゲートバスラインはゲートドライバ６に接続され、各ソースバスラインはソースドライバ３に接続されている。
【００２２】
液晶パネル８の対向電極は、対向基板上に配置された対向配線（図示せず）を介して対向電圧生成回路７に接続されている。対向電圧生成回路７は、その外部から供給される入力電位Ｖｉｎを所定の対向電圧ＶＣＯＭに変換して、液晶パネル８の対向電極に供給する。ＶＣＯＭは、液晶パネル８の対向電極の電圧レベルである対向基準電位である。例えばＶＣＯＭは、基準電圧生成回路２のＤＡＣレジスタに設定された基準電圧に基づいて定めたものであってもよい。
【００２３】
画像表示時には、ゲートドライバ６が書込対象のゲートバスラインを周期的に切り替え、ソースドライバ３がゲートドライバ６と同期して、書込対象として選択されているゲートバスラインに接続されている各絵素に対応するソースバスラインに、画像データの階調値に応じた階調電圧を印加する。これにより、各絵素の液晶層に画像データに応じた階調電圧を印加して液晶分子の配向方向を制御し、表示を行う。
【００２４】
基準電圧生成回路２は、階調用ＤＡＣ（Digital to Analog Converter）により構成されている。基準電圧生成回路２は、液晶表示装置１０に予め設定されている階調基準データ（出力電圧値データ）に基づいて、ソースドライバ３において階調値に応じた電圧を生成する際に用いられる階調基準電圧を生成し、ソースドライバ３に出力する。この階調基準データは、例えば液晶パネル毎に異なる絵素の浮遊容量に起因する最適な階調電圧のばらつきを調整するように、例えば液晶表示装置１０の生産時などに設定される。
【００２５】
基準電圧生成回路２には、ＤＡＣレジスタが備えられる。ＤＡＣレジスタは、複数の階調値に対応する電圧設定値（階調設定電圧）を保存する不揮発のメモリであり、それらの電圧設定値を出力する。出力される電圧設定値は、階調用ＤＡＣに入力される。階調用ＤＡＣは、例えば１０ｂｉｔＤＡＣであり、ＤＡＣレジスタから出力される１０個の電圧設定値をアナログ電圧値に変換する。
階調用ＤＡＣは、画像データの階調値に対応するデジタルデータを、電圧設定値に基づいて電圧に変換する。階調用ＤＡＣの出力は、アンプで増幅されて出力端子からソースドライバ３に階調基準電圧として出力される。
【００２６】
ソースドライバ３は、タイミングコントローラ１から入力される制御信号と、基準電圧生成回路２から入力される階調基準電圧とに基づいて、液晶パネル８のＴＦＴ基板に備えられる各ソースバスラインに印加する電圧を制御する。
具体的には、ソースドライバ３は、ＴＦＴ基板の各ソースバスラインに印加するための電位、すなわちソースバスラインに接続された絵素（サブピクセル）のうち、書き込み対象の絵素に印加するための電位を生成し、生成した電位をゲートドライバ６による書込対象のゲートバスラインの切替動作と同期したタイミングで各ソースバスラインに印加する。
【００２７】
ソースドライバ３内には、階調電圧生成回路４が設けられている。液晶パネル８における各絵素の透過率は、各絵素の絵素電極に印加する電圧を制御することによって調整され、それによって階調表示が行われる。また、隣接する絵素に対する印加電圧を逆極性とし、各絵素に対する印加電圧の極性を１フレーム毎に切り替える交流駆動が行われる。
階調電圧生成回路４は、基準電圧生成回路２から出力された階調基準電圧をさらに分圧して、階調ごとの階調電圧値を生成する。ここでは例えば液晶パネル８にて交流駆動を行うために、階調電圧生成回路４は、基準電圧生成回路２から入力される階調基準電圧に基づいて、１つの階調値に対して＋極性を印加する場合の電位と−極性を印加する場合の電位の２つの電位を生成する。
【００２８】
そしてソースドライバ３の内部回路である階調電圧選択回路５では、タイミングコントローラ１から出力された画像データに基づき、階調電圧生成回路４が生成した階調電圧の中から、画像データにおける絵素の階調値に応じた電圧が選択され、出力段のオペアンプで増幅されてソースバスラインに出力される。こうして、液晶パネル８には、画像データに応じた表示が行われる。
基準電圧生成回路２、階調電圧生成回路４、対向電圧生成回路７は、基本的には上記のような動作により、液晶パネル８の表示制御を行う。
【００２９】
図２は、液晶パネルを４つの領域に分割して、それぞれの領域に対応してＴＣＯＮ、基準電圧生成回路、階調電圧生成回路、および対向電圧生成回路を設けた構成例を示す図である。この例は、本発明に係る実施形態ではなく、本発明に係る実施形態の理解に供するために、従来の画面分割による表示制御部分の構成例を示すものである。
【００３０】
すなわち、この例では、例えば８Ｋ４Ｋの解像度を有する画像を表示する液晶パネルは、４つの分割領域に分割されている。分割領域、例えば上述した図７に示すように、縦２×横２の矩形の４つの領域からなっている。
図２の例では、これら４つの分割領域のそれぞれについて表示制御基板１１ａ〜１１ｄを配し、それぞれの表示制御基板１１ａ〜１１ｄが、フレキシブル配線１７を介してソースプリント配線基板（ＳＰＷＢ）１８に接続される。各ソースプリント配線基板１８は、各表示制御基板１１ａ〜１１ｄのそれぞれが表示制御を行う分割領域の表示制御を行うソースドライバ（図２では図示せず）に接続される。
【００３１】
これら４つの表示制御基板１１ａ〜１１ｄには、ＴＣＯＮ１２ａ〜１２ｄ，１３ａ〜１３ｄと、基準電圧生成回路１４ａ〜１４ｄと、階調電圧生成回路１５ａ〜１５ｄと、対向電圧生成回路１６ａ〜１６ｄとが設けられている。ＴＣＯＮ１２ａ〜１２ｄ，１３ａ〜１３ｄは、図１のタイミングコントローラ（ＴＣＯＮ）１に相当する機能を有する。また基準電圧生成回路１４ａ〜１４ｄは、図１の基準電圧生成回路２に相当する機能を有する。また、階調電圧生成回路１５ａ〜１５ｄは、図１の階調電圧生成回路４に相当する機能を有する。また、対向電圧生成回路１６ａ〜１６ｄは、図１の対向電圧生成回路７に相当する機能を有する。
【００３２】
各表示制御基板１１ａ〜１１ｄにおいて、ＴＣＯＮは、２つずつ設けられ、マスターに対するスレーブとして機能させる。これらのうち、第１の表示制御基板１１ａの一つのＴＣＯＮ１２ａをＴＣＯＮマスターとし、同じ第１の表示制御基板１１ａの他のＴＣＯＮ１３ａをＴＣＯＮスレーブとする。同時に、他の３つの表示制御基板１１ｂ，１１ｃ，１１ｄのそれぞれ２つのＴＣＯＮ１２ｂ〜１２ｄ，１３ｂ〜１３ｄは、第１表示制御基板１１ａのマスターのＴＣＯＮ１２ａに対するスレーブとして機能させる。ＴＣＯＮスレーブは、ＴＣＯＮマスターにより動作するスレーブとして機能する。一つの表示制御基板に二つのＴＣＯＮを設けることで、これらのＴＣＯＮにより高解像度の映像を分散して処理することができる。各表示制御基板１１ａ〜１１ｄのＴＣＯＮ１２ａ〜１２ｄ，１３ａ〜１３ｄは、各ソースドライバに対して表示制御のための制御信号を送信する。
【００３３】
そして各表示制御基板１１ａ〜１１ｄには、基準電圧生成回路１４ａ〜１４ｄが設けられ、液晶表示装置１０に予め設定されている階調基準データに基づいて、階調値に応じた電圧を生成する際に用いられる階調基準電圧を生成する。基準電圧生成回路１４ａ〜１４ｄが生成した階調基準電圧は、各表示制御基板１１ａ〜１１ｄに備えられている階調電圧生成回路１５ａ〜１５ｄに出力される。
【００３４】
階調電圧生成回路１５ａ〜１５ｄは、基準電圧生成回路１４ａ〜１４ｄから出力された基準電圧をさらに分圧して、階調ごとの階調電圧を生成する。ここでは例えば液晶パネル８にて交流駆動を行うために、階調電圧生成回路１５ａ〜１５ｄは、基準電圧生成回路１４ａ〜１４ｄから入力される階調基準電圧に基づいて、１つの階調値に対して＋極性を印加する場合の電位と−極性を印加する場合の電位の２つの電位を生成する。階調電圧生成回路１５ａ〜１５ｄが生成した階調電圧は、ソースドライバに送られる。
【００３５】
また、各表示制御基板１１ａ〜１１ｄには、対向電圧生成回路１６ａ〜１６ｄが設けられる。対向電圧生成回路１６ａ〜１６ｄは、外部から供給される入力電位Ｖｉｎを所定の対向電位ＶＣＯＭに変換して、ソースドライバに送り、液晶パネル８の対向電極に供給する。対向電極は、一つの表示制御基板１１ａ〜１１ｄが表示制御を行う領域の液晶パネル８の対向電極とされる。
【００３６】
ソースドライバは、各表示制御基板１１ａ〜１１ｄのＴＣＯＮ１２ａ〜１２ｄ，１３ａ〜１３ｄから入力される制御信号と、階調電圧生成回路１５ａ〜１５ｄから入力される階調基準電圧とに基づいて、液晶パネル８のＴＦＴ基板に備えられる各ソースバスラインに印加する電圧を制御する。ここではソースドライバでは、画像データに基づいて、階調電圧生成回路１５ａ〜１５ｄが生成した階調電圧を選択し、ソースラインに出力する。
これにより、ソースドライバは、ＴＦＴ基板の各ソースバスラインに印加するための階調電圧、すなわちソースバスラインに接続された絵素（サブピクセル）のうち、書き込み対象の絵素に印加するための階調電圧を生成し、生成した階調電圧をゲートドライバによる書込対象のゲートバスラインの切替動作と同期したタイミングで各ソースバスラインに印加する。また、ソースドライバは、対向電圧生成回路１６ａ〜１６で生成された対向電圧を液晶パネル８の対向電極に供給する。
【００３７】
上記の構成では、基準電圧生成回路１４ａ〜１４ｄ、階調電圧生成回路１５ａ〜１５ｄ、および対向電圧生成回路１６ａ〜１６ｄが表示制御基板１１ａ〜１１ｄのそれぞれに設けられているため、個々にその調整が必要となる。
そしてそれぞれの表示制御基板１１ａ〜１１ｄにおけるこれら基準電圧生成回路１４ａ〜１４ｄ、階調電圧生成回路１５ａ〜１５ｄ、および対向電圧生成回路１６ａ〜１６ｄのばらつきにより、各ソースドライバにおける階調電圧差が発生し、画面輝度の輝度差が生じて表示画面に違和感が生じる。これを改善するために、各表示制御基板１１ａ〜１１ｄでデジタルガンマ用いて画像を再調整する必要が生じるが、この再調整によりデジタルガンマ調整のためのデータをそれぞれ別個に調整してＲＯＭに記憶させる必要が生じる。また、この再調整によっても完全に輝度差を解消させることができない場合には、特に分割領域の境界で違和感が目立つようになる。
【００３８】
（実施形態１）
図３は、本発明に係る液晶表示装置の実施形態を説明する図である。上記図２の構成と比較することで、本発明に係る実施形態の構成を容易に理解することができる。本発明に係る実施形態は、液晶表示装置およびその液晶表示装置を備えたテレビジョン装置として構成することができる。テレビジョン装置は、チューナで受信して復調し復号した放送信号を液晶表示装置に表示できる装置として構成される。
【００３９】
図３の例では、液晶パネルが４つの領域に分割され、それぞれの領域に対応して表示制御基板１１ａ〜１１ｄが設けられる。すなわち、この例では、例えば８Ｋ４Ｋの解像度を有する画像を表示する液晶パネルは、４つの分割領域に分割されている。
ここで分割領域は、例えば図４に示すように、液晶パネル８を幅方向に４分割し、それぞれの分割領域が、縦長の短冊状の矩形形状となるよう構成する。液晶パネル８の幅方向とは、画面の高さ方向に直交する水平方向を指す。この分割形状では、一つの分割領域には、その幅方向の両側もしくは、片側のみに他の分割領域が隣接する。
【００４０】
図３の構成に戻って説明する。
液晶パネル８の４つの分割領域のそれぞれについて、表示制御基板１１ａ〜１１ｄが配置され、それぞれの表示制御基板１１ａ〜１１ｄが、フレキシブル配線１７を介してソースプリント配線基板（ＳＰＷＢ）１８に接続される。各ソースプリント配線基板１８は、各表示制御基板１１ａ〜１１ｄのそれぞれが表示制御を行う分割領域の表示制御を行うソースドライバ（図３では図示せず）に接続される。液晶パネル８とこれを駆動するソースドライバおよびゲートドライバ等の駆動回路とにより液晶モジュールが構成される。
【００４１】
これら４つの表示制御基板１１ａ〜１１ｄには、ＴＣＯＮ１２ａ〜１２ｄ、１３ａ〜１３ｄが設けられる。各表示制御基板１１ａ〜１１ｄにおいて、ＴＣＯＮは、２つずつ設けられ、マスターに対するスレーブとして機能させる。これらのうち、第１の表示制御基板１１ａの一つのＴＣＯＮ１２ａをＴＣＯＮマスターとし、同じ第１の表示基板１１ａの他のＴＣＯＮ１３ａをＴＣＯＮスレーブとする。同時に、他の３つの表示制御基板１１ｂ，１１ｃ，１１ｄのそれぞれ２つのＴＣＯＮ１２ｂ〜１２ｄ，１３ｂ〜１３ｄは、第１表示制御基板１１ａのマスターのＴＣＯＮ１２ａに対するスレーブとして機能させる。各表示制御基板１１ａ〜１１ｄのＴＣＯＮ１２ａ〜１２ｄ，１３ａ〜１３ｄは、各ソースドライバに対して表示制御のための制御信号を送信する。
【００４２】
そして本実施形態では、液晶パネル８の４つの分割領域の表示制御をそれぞれ行う４つの表示制御基板１１ａ〜１１ｄに、全ての分割領域に対して共通に使用される１つの基準電圧生成回路１４と、１つの階調電圧生成回路１５と、１つの対向電圧生成回路１６とが設けられる。基準電圧生成回路１４、階調電圧生成回路１５、および対向電圧生成回路１６は、それぞれ本発明の基準電圧生成部、階調電圧生成部、および対向電圧生成部に該当する。
【００４３】
これら基準電圧生成回路１４、階調電圧生成回路１５、および対向電圧生成回路１６は、例えば第１の表示制御基板１１ａに設けられ、基準電圧生成回路１４が生成した階調基準電圧に基づき階調電圧生成回路１５が生成した階調電圧と、対向電圧生成回路１６が生成した対向電圧は、全ての表示基板１１ａ〜１１ｄから、全てのソースドライバへと送られる。
【００４４】
基準電圧生成回路１４は、液晶表示装置１０に予め設定されている階調基準データに基づいて、階調電圧生成回路１５が階調値に応じた電圧を生成する際に用いられる階調基準電圧を生成し、階調電圧生成回路１５に出力する。
階調電圧生成回路１５は、基準電圧生成回路１４から出力された階調基準電圧をさらに分圧して、階調ごとの階調電圧値を生成する。ここでは例えば液晶パネル８にて交流駆動を行うために、階調電圧生成回路１５は、基準電圧生成回路１４から入力される階調基準電圧に基づいて、１つの階調値に対して＋極性を印加する場合の電位と−極性を印加する場合の電位の２つの電位を生成する。
また、対向電圧生成回路１６は、外部から供給される入力電位Ｖｉｎを所定の対向電位ＶＣＯＭに変換して、ソースドライバに送り、液晶パネル８の対向電極に供給する。対向電極は、一つの表示制御基板１１ａ〜１１ｄが表示制御を行う領域の液晶パネル８の対向電極とされる。
【００４５】
ソースドライバは、ＴＣＯＮ１２ａ〜１２ｄ，１３ａ〜１３ｄから入力される制御信号と、共通の階調電圧生成回路１５から入力される階調基準電圧とに基づいて、液晶パネル８のソースバスラインに印加する電圧を制御する。ここではソースドライバの内部回路である階調電圧選択回路では、ＴＣＯＮ１２ａ〜１２ｄ、１３ａ〜１３ｄから出力された画像データに基づき、階調電圧生成回路１５が生成した階調電圧の中から、画像データにおける絵素の階調値に応じた電圧が選択され、選択された電圧が出力段のオペアンプで増幅されてソースバスラインに出力される。こうして、液晶パネル８には、画像データに応じた表示が行われる。また、共通の対向電圧生成回路１６から出力された対向電圧ＶＣＯＭを液晶パネル８の対向電極に供給する。ＶＣＯＭは、液晶パネル８の対向電極の電圧レベルである対向基準電位である。
【００４６】
上記のように液晶パネル８の画面を複数に分割し、そのそれぞれの分割領域に対して、個別のＴＣＯＮを用いて表示制御を行うことで、例えば所謂８Ｋ４Ｋのような高解像度の画像を複数のＴＣＯＮを用いて表示制御する場合、基準電圧生成回路１４、階調電圧生成回路１５、および対向電圧生成回路１６を共通にして使用することにより、ＴＣＯＮをそれぞれ備えた表示制御基板１１ａ〜１１ｄ間における階調電圧の差がなくなり、液晶パネル８の表示画面における輝度差をなくすことができる。
【００４７】
また、分割領域の形状は、図４のように、液晶パネル８の画面を幅方向に４つに分割して、それぞれの分割領域が短冊状の矩形形状になって横一列に配列しているため、液晶パネルの画面全体を完全に同一の表示制御状態にすることができない場合でも、それぞれ隣り合う分割領域の境界部分で違和感がない場合には、画面全体としての違和感も目立たなくなる。またこのときに、各表示制御基板１１ａ〜１１ｄを、横一列に配列した分割領域の形状に応じてレイアウトすることができ、各表示制御基板１１ａ〜１１ｄからソースドライバに向かう配線の長さを統一させることができるため、配線の長さの差による電位差やノイズの差による画質への影響を抑制すことができる。またこの場合に、表示制御基板１１ａ〜１１ｄとその配線部分とを共通化することで、コスト低減にも貢献する。
【００４８】
（実施形態２）
図５は、液晶パネルの分割構成の他の実施形態を示す図である。上記実施形態１では、液晶パネル８の画面を幅方向（高さ方向に直交する水平方向）に４つに分割し、各分割領域を短冊状の矩形形状として設定した。そして各分割領域に対応させて４つの表示制御基板１１ａ〜１１ｄを設け、これらの表示制御基板１１ａ〜１１ｄにおいて、基準電圧生成回路１４、階調電圧生成回路１５、および対向電圧生成回路１６を共通にして使用することにより、分割領域間の階調電圧の差をなくし、液晶パネル８の表示画面における輝度差をなくすようにした。
【００４９】
これに対して本実施形態では、液晶パネル８の分割数をさらに８つにする。ここでは液晶パネル８の画面を幅方向（画面の高さ方向に直交する水平方向）に８つに分割し、各分割領域を短冊状の矩形形状として設定する。この場合、８つの各分割領域ごとに、表示制御基板を設け、それぞれの表示制御基板にＴＣＯＮを設ける。それぞれのＴＣＯＮは、そのいずれかをＴＣＯＮマスターとし、他をＴＣＯＮスレーブとして制御することができる。
【００５０】
そして、階調電圧生成部１５が階調値に応じた電圧を生成する際に用いられる階調基準電圧を生成する基準電圧生成回路１４と、基準電圧生成回路１４から出力された基準電圧をさらに分圧して階調ごとの階調電圧を生成する階調電圧生成回路１５と、液晶パネル８の対向電極に供給する対向電圧ＶＣＯＭを生成する対向電圧生成回路１６とを共通に使用する。これにより、各分割領域の階調電圧の差をなくし、液晶パネル８の表示画面における輝度差をなくすようにすることができる。
なお、実施形態２では分割数は８であるが、その分割数はこれに限定されず、さらに同様の仕様で分割数を増大、もしくは減少させて構成してもよい。
【００５１】
（実施形態３）
図６は、液晶パネルの分割構成の更に他の実施形態を示す図である。
本実施形態では、液晶パネルの分割数を４つにし、ここでは液晶パネル８の画面を縦方向（画面の高さ方向）と幅方向（高さ方向に直交する方向）にそれぞれ２つに分割して、合計４つの矩形形状の分割領域を設定する。
この場合、４つの各分割領域ごとに、表示制御基板を設け、それぞれの表示制御基板にＴＣＯＮを設ける。それぞれのＴＣＯＮは、そのいずれかをＴＣＯＮマスターとし、他をＴＣＯＮスレーブとして制御することができる。
【００５２】
そして、階調電圧生成部１５が階調値に応じた電圧を生成する際に用いられる階調基準電圧を生成する基準電圧生成回路１４と、基準電圧生成回路１４から出力された階調基準電圧をさらに分圧して階調ごとの階調電圧を生成する階調電圧生成回路１５と、液晶パネル８の対向電極に供給する対向電圧ＶＣＯＭを生成する対向電圧生成回路１６とを共通に使用する。これにより、各分割領域の階調電圧の差をなくし、液晶パネル８の表示画面における輝度差をなくすようにすることができる。
本実施形態の構成は、従来の技術として説明した図７の構成と同様の分割領域の構成を有するものであるが、本実施形態の構成により、基準電圧生成回路１４、階調電圧生成回路１５、および対向電圧生成回路１６を共通にすることで、従来分割領域間の輝度差が目立ちやすい分割構成であっても、画面全体の輝度差をなくすことができ、違和感が生じることを抑制することができる。ここでは縦横の分割数は２×２の４分割であるが、その分割数はこれに限定されず、さらに同様の仕様で分割数を増大、もしくは減少させて構成してもよい。
【００５３】
上記の各実施形態で記載されている技術的特徴（構成要件）は、お互いに組み合わせ可能であり、組み合わせることにより、新しい技術的特徴を形成することができる。
【符号の説明】
【００５４】
１…タイミングコントローラ、２…基準電圧生成回路、３…ソースドライバ、４…階調電圧生成回路、５…階調電圧選択回路、６…ゲートドライバ、７…対向電圧生成回路、８…液晶パネル、１０…液晶表示装置、１１ａ，１１ｂ，１１ｃ，１１ｄ…表示制御基板、１２ａ，１２ｂ，１２ｃ，１２ｄ，１３ａ，１３ｂ，１３ｃ，１３ｄ…ＴＣＯＮ、１４…基準電圧生成回路、１４ａ，１４ｂ、１４ｃ、１４ｄ…基準電圧生成回路、１５…階調電圧生成回路、１５ａ，１５ｂ、１５ｃ、１５ｄ…階調電圧生成回路、１６…対向電圧生成回路、１６ａ，１６ｂ，１６ｃ、１６ｄ…対向電圧生成回路、１７…フレキシブル配線、１８…ソースプリント配線基板。
【図１】
2016218274.tif 000003
【図２】
2016218274.tif 000004
【図３】
2016218274.tif 000005
【図４】
2016218274.tif 000006
【図５】
2016218274.tif 000007
【図６】
2016218274.tif 000008
【図７】
2016218274.tif 000009